(57)【特許請求の範囲】
【請求項１】
密閉状空間（Ｅ）と外部（Ｙ）とを連通する通気孔（５）に嵌着される貫孔（２）付の栓体（１）と、該栓体（１）のアキシャル方向外端面（４）に固着されて上記貫孔（２）を閉鎖する通気性と防水性を有する呼吸フィルタ（10）とを、備えた通気防水構造に於て、
上記栓体（１）は、生ゴム材料の加熱加圧による加硫成形にて成形され、
上記呼吸フィルタ（10）は、上記栓体（１）の上記加硫成形にて、上記アキシャル方向外端面（４）に、一体積層状として固着され、かつ、上記栓体（１）の上記貫孔（２）は一枚の上記呼吸フィルタ（10）のみにて閉鎖され、
しかも、上記栓体（１）のアキシャル方向外端面（４）と上記呼吸フィルタ（10）との境界面（Ｍ）に於ては、上記呼吸フィルタ（10）の多数の超微細繊維（Ｆ）が、上記アキシャル方向外端面（４）を構成している加硫ゴムの内部に浸入して強固に一体化されていることを特徴とする通気防水構造体。
【請求項２】
上記栓体（１）を形成する加硫ゴムは、シリコンゴムから成る請求項１記載の通気防水構造体。
【発明の詳細な説明】
【技術分野】
【０００１】
本発明は、通気防水構造体に関する。
【背景技術】
【０００２】
従来、筐体の密閉状空間と外部とを連通する通気孔に設けられる通気防水構造体として、図17に示すような構造のものが公知である（特許文献１参照）。
即ち、図17に示すように、筐体31の密閉状空間Ｅと、外部（大気）Ｙとを連通する通気孔32に、挿入して嵌着される栓体33と、この栓体33の外端面に、接着剤にて接着された呼吸フィルタ35を、備えている。栓体33は貫孔41を有する筒状である。さらに、被覆カバー36が、栓体33の外鍔部33Ａに外嵌状に取着される。
【０００３】
通気孔32は、筐体壁部31Ａの内面から密閉状空間Ｅへ突出状の短円筒部37をもって、形成されている。
栓体33の下端（内端）の小外鍔部33Ｂが、短円筒部37の内端面に係止状として、栓体33は通気孔32に固着されるのであるが、密封用Ｏリング38が、外鍔部33Ａの下面と筐体壁部31Ａ間に介装されている。
【０００４】
また、被覆カバー36は、天井壁面部36Ａと、円筒壁部36Ｂと、から成り、横方向の小通気孔39が設けられている。円筒壁部36Ｂの内周面の凹周溝36Ｃに、外鍔部33Ａが、係合することによって、被覆カバー36が栓体33に固着され、しかも、別のＯリング40が、付設されている。
このＯリング40は、円筒壁部36Ｂの外周面と、筐体壁部31Ａの外面との隅部に、Ｏリング40自身の弾発的縮径力をもって、固着し、外気が、被覆カバー36の内部へ浸入するのを防止している。
【０００５】
図18は他の従来例を示し、前述の被覆カバー36を有さない構造のものである。
この図18に示すように、軸心に沿って貫孔41を有する短寸ボルト形状のプラスチック製栓体42を有し、筐体壁部31Ａにはネジ孔43を貫設し、栓体42の雄ネジ部44を螺着して、筐体31に固着する構造である。呼吸フィルタ35は、栓体42の頭部42Ａの上面に、接着剤にて接着される。
また、密封用のＯリング38が筐体31の筐体壁部31Ａの外面と、栓体42の頭部42Ａの下面との間に、介装されている。
【先行技術文献】
【特許文献】
【０００６】
【特許文献１】特開２０１４−１２３６２５号公報
【発明の概要】
【発明が解決しようとする課題】
【０００７】
上述の図17に示した従来の通気防水構造は、次のような問題点があった。即ち、（ｉ）部品点数が多い点、（ii）筐体31に取付ける際に、多くの部品の一部を紛失する虞れがある点、 （iii）筐体31への取付作業に時間が掛かっていた点、（iv）筐体31の外部への突出部位が大きく、コンパクト化も困難である点等の問題点があった。
【０００８】
また、図18に示した他の従来例では、（ｉ）ネジ孔43へ雄ネジ部44を螺合するのに手間が掛かる点、（ii）密封のためのＯリング38が正規の位置に在って適切に弾性圧縮しているか否か、取付作業において注意を払わなければならず、熟練を要した点、 （iii）頭部42Ａが大きく、外部へ突出している点等の問題点があった。
【０００９】
そこで、本発明は、従来のこのような問題を解決して、分離した小部品を無くして、紛失を防ぎ、取付作業が簡単で取付作業の能率をアップでき、しかも、コンパクトであって、外部への突出部位（の容積）が減少乃至全く無くすことができる通気防水構造体を提供することを目的とする。
【課題を解決するための手段】
【００１０】
そこで、本発明は、密閉状空間と外部とを連通する通気孔に嵌着される貫孔付の栓体と、該栓体のアキシャル方向外端面に固着されて上記貫孔を閉鎖する通気性と防水性を有する呼吸フィルタとを、備えた通気防水構造に於て；上記栓体は、生ゴム材料の加熱加圧による加硫成形にて成形され；上記呼吸フィルタは、上記栓体の上記加硫成形にて、上記アキシャル方向外端面に、一体積層状として固着され、かつ、上記栓体の上記貫孔は一枚の上記呼吸フィルタのみにて閉鎖され、しかも、上記栓体のアキシャル方向外端面と上記呼吸フィルタとの境界面に於ては、上記呼吸フィルタの多数の超微細繊維が、上記アキシャル方向外端面を構成している加硫ゴムの内部に浸入して強固に一体化されている。
また、上記栓体を形成する加硫ゴムは、シリコンゴムから成る。
【発明の効果】
【００１１】
本発明によれば、部品点数を著しく減少できる。従って、小さな部品の紛失が防止可能となる。さらに、取付作業の能率向上を図り得る。筐体の外面からの突出を無くし、又は、突出寸法を減少できる。即ち、筐体等のコンパクト化に貢献できる。かつ、呼吸フィルタの耐圧強度も大きく、剥離しない。
【図面の簡単な説明】
【００１２】
【図１】本発明の第１の実施形態を示し、（Ａ）は縦断面図、（Ｂ）は拡大要部断面図である。
【図２】本発明の第２の実施形態を示し、（Ａ）は単品の縦断面図、（Ｂ）は使用状態を示す断面図である。
【図３】本発明の第３の実施形態を示し、（Ａ）は単品の縦断面図、（Ｂ）は使用状態を示す断面図である。
【図４】本発明の第４の実施形態を示す縦断面図である。
【図５】本発明の第５の実施形態を示す縦断面図である。
【図６】本発明の第６の実施形態を示し、（Ａ）は単品の縦断面図、（Ｂ）は使用状態を示す縦断面図である。
【図７】本発明の第７の実施形態を示し、（Ａ）は単品の縦断面図、（Ｂ）は使用状態を示す縦断面図である。
【図８】本発明の第１の変形例を示す縦断面図である。
【図９】第１の変形例の使用状態断面図である。
【図１０】第２の変形例を示す縦断面図である。
【図１１】第２の変形例の使用状態断面図である。
【図１２】本発明に係る通気防水構造体の製造方法を説明する要部断面説明図である。
【図１３】本発明に係る通気防水構造体の製造方法を説明する要部断面説明図である。
【図１４】本発明に係る通気防水構造体の製造方法を説明する要部断面説明図である。
【図１５】本発明に係る通気防水構造体の製造方法を説明する要部断面説明図である。
【図１６】本発明に係る通気防水構造体の製造方法を説明する要部断面説明図である。
【図１７】従来例を示す使用状態断面図である。
【図１８】他の従来例を示す使用状態断面図である。
【発明を実施するための形態】
【００１３】
以下、図示の実施の形態に基づき本発明を詳説する。
図１，図２（Ａ），図３（Ａ）に於て、本発明の第１・第２・第３の各実施形態を示し、いずれも、一軸心Ｌ1 に沿った貫孔２を有する栓体１を備え、この栓体１のアキシャル方向外端面４に固着され、上記貫孔２を閉鎖する呼吸フィルタ10とを、備えている。
さらに、栓体１は、外周面１Ａに、大き目の断面三角状突条部３（図１参照）、あるいは、小さ目の断面三角状突条部３（図２（Ａ）参照）、又は、断面丸山型の突条部３（図３（Ａ）参照）が、形成されている。
【００１４】
図２（Ｂ），図３（Ｂ）に示した使用（装着）状態に於て、筐体８等の（内部の）密閉状空間Ｅと、外部（大気）Ｙとを連通する（円形断面の）通気孔５に、栓体１が嵌着される。
この栓体１は、（生ゴム材料を加熱加圧による）加硫成形によって、成形される。つまり、栓体１は、弾性に富んだ加硫ゴムから成り、例えば、シリコンゴムが用いられる。
【００１５】
このような生ゴム材料を加熱加圧による加硫成形によって、栓体１が成形されると同時に、前記呼吸フィルタ10が栓体１のアキシャル方向外端面４に一体積層状として、固着されている（図１（Ｂ）に示した拡大要部断面図参照）。
【００１６】
ここで、呼吸フィルタ10について説明すれば、例えば、ＰＴＦＥ多孔質膜状体から成り、１平方センチメートル当りに数億個とも言われる多数の微細孔が、図１（Ｂ）に示したように、多数の超微細繊維Ｆにて形成されている。従って、（外部からの）雨、水の浸入を防ぐ防水性、及び空気（及び熱）を通す通気性に優れた薄い膜状体である。（住友電工ファインポリマー株式会社の「ポアフロン」、日東電工株式会社の「テミッシュ」、中興化成工業株式会社の「シポラス」等を挙げることができる。なお、これらの商品名は登録商標である。）
【００１７】
図１（Ｂ）に示すように、栓体１と呼吸フィルタ10との境界面Ｍに於て、呼吸フィルタ10の（前述の）多数の超微細繊維Ｆが、（栓体１を構成している）加硫ゴムの内部に浸入しており、呼吸フィルタ10は極めて強固に栓体１と一体化されている。従って、密閉状空間Ｅ内の圧力が上昇して高圧力（例えば、１００ｋＰａ）が貫孔２を介して呼吸フィルタ10に作用したとしても、剥離しない。このように、耐圧性に優れている。
【００１８】
次に、図４に示す第４の実施形態では、栓体１の外周面１Ａに、断面が円弧状の凹溝部６，６が形成されている。
また、図５に示す第５の実施形態では、栓体１の外周面１Ａを凹凸波形に形成した場合を示す。
【００１９】
第１〜第５のいずれの実施形態にあっても、図２（Ｂ），図３（Ｂ）に例示した如く、従来のシール材としてのＯリング38（図17と図18参照）を使用せず、栓体１を形成する加硫ゴム自身の弾発付勢力によって、図２（Ｂ）と図３（Ｂ）に付記したような接触面圧Ｐをもって通気孔５の内周面に圧接し、密封性を保っている。
即ち、Ｏリング38等のシール材を別部品として使用せず、栓体１自身のラジアル外方向への弾発付勢力を利用して、栓体１と通気孔５との嵌合部の密封性を確保する構成とした。
【００２０】
次に、図６に示す第６の実施形態について説明する。図６では、栓体１の縦断面形状が、凹周溝７が上下中間位置に形成され、かつ、この凹周溝７の断面形状は矩形であって、凹周溝７の溝幅寸法Ｗ7 は、筐体壁部８Ａの厚さ寸法Ｔ8 と同一、乃至、僅かに小さく設定する。
【００２１】
また、凹周溝７の溝底径Ｄ7 は、通気孔５の内径寸法Ｄ5 よりも僅かに大きく設定する。
上述の寸法設定によって、図６（Ｂ）に示した筐体壁部８Ａの通気孔５への装着（使用）状態で、栓体１と通気孔５との嵌合部の密封性を、Ｏリング等のシール材を用いずに確保でき、しかも、栓体１の通気孔５からの離脱を防止できる。なお、栓体１は下端に、下方縮径状テーパ面12Ａを有する小外鍔部12が連設され、栓体１の通気孔５への挿入が容易であり、かつ、上方への引抜けが阻止できる。
【００２２】
また、図７に示す第７の実施形態では、図６と同一符号は同様の構成である。しかし、この図７では下端（内端）から、軸心Ｌ1 と平行に複数のスリット９が切欠形成されている。
図６でも、内方縮径状のテーパ面12Ａによって、栓体１の通気孔５へ挿入することを容易としているのであるが、図７に示すスリット９を設けることによって、通気孔５への挿入の際に、小外鍔部12が縮径方向に弾性変形し易く、従って、栓体１の通気孔５への挿入を一層容易としている。
【００２３】
そして、図６（Ｂ）と図７（Ｂ）に於て、従来の図17に示したＯリング等のシール材が全く省略されている。即ち、図１〜図５の場合と同様に、図６，図７の実施形態においても、シール材を使わずに、栓体１を構成する加硫ゴム自身の弾発付勢力によって、密封性を保っている。
【００２４】
次に、図８，図９に於て、本発明の第１の変形例を示す。図８は自由状態を示し、図９は装着状態を示す。
栓体１の縦断面形状は、図３と同様のものとした場合を例示したが、図１，図２，図４，図５等とするも自由である。
【００２５】
第１の変形例にあっては、栓体１の外端面４に固着された呼吸フィルタ10を、所定間隔Ｈ20をもって被覆する天井壁面部21を有する被覆カバー20が、付設されている。
この被覆カバー20は、上記天井壁面部21から下方（内方）へ突設された筒状脚部22を、一体に有する。しかも、この筒状脚部22の下半部は、栓体１に侵入状態で、固着されている。
【００２６】
また、筒状脚部22の周壁には、外部Ｙに連通する小径の副通気孔23が複数個（水平方向に）貫設されている。
そして、上記被覆カバー20の筒状脚部22は、前述の栓体１の加硫成形によって、アキシャル方向外端面４から栓体内部に突入状として、（一体状に）埋設されている。
【００２７】
なお、筒状脚部22には、図８，図９のように栓体内部との連結力をアップするために、三角突条部24を形成したり、貫孔（図示省略）を形成したり、膨出部25（図10参照）を形成することも好ましい。
また、図３で既に述べたように、図８，図９に於ても、Ｏリング等のシール材を全く省略して、栓体１の突条部３，３等の弾性圧縮によって、栓体１と通気孔５との嵌合部の密封性が確保されている。
【００２８】
なお、被覆カバー20の形状は、図８，図９のように角部が丸味（アール部）のあるものが望ましいが、これを角型としたり、筒状脚部22の外径よりも大きく、ラジアル外方へ延伸したきの子形状（図10参照）とするも、自由である。
【００２９】
次に、図10，図11に於て、本発明の第２の変形例を示す。図10は自由状態を示し、図11は装着状態を示す。
栓体１の縦断面形状は、図７と同様のものとした場合を例示する。この第２の変形例にあっては、栓体１の構造，形状及び作用と機能は、図７で既に述べた通りである。従って、図７に比べて、相違している構造，形状及び作用と機能について、以下、説明する。
【００３０】
即ち、図10，図11に示すように、栓体１の外端面４の呼吸フィルタ10を、所定間隔Ｈ20をもって、被覆する天井壁面部21を有する被覆カバー20が、付設されている。
さらに、被覆カバー20は、天井壁面部21から下方（内方）へ突設された筒状脚部22を、一体に有する。この筒状脚部22の下半部は、栓体１に侵入状態で、固着されている。
【００３１】
この筒状脚部22の周壁には、外部Ｙに連通する小径副通気孔23が複数個貫設されている。
また、被覆カバー20の筒状脚部22は、生ゴム材料の加熱加圧による加硫成形工程において栓体１を成形する際に、同様に栓体内部に突入状として埋設される。
言い換えれば、（図８，図９も同様であるが、）生ゴム材料の加熱加圧による栓体１の加硫成形時に、呼吸フィルタ10、及び、被覆カバー20が、栓体１に一体化される。
【００３２】
なお、図10，図11に示すように、被覆カバー20の天井壁面部21は、筒状脚部22からラジアル外方へ延設され、かつ、栓体１の外端部位を包囲するように、内方（下方）へ弯曲したきの子の傘型乃至菅笠形状である。外部Ｙから水や粉塵等が強力に飛来しても副通気孔23から、被覆カバー20の内空室26へ浸入するのを防止する。
【００３３】
次に、図12〜図16に於て、本発明に係る栓体１の加硫成形方法及び成形金型、さらに、呼吸フィルタ10の固着方法等を、簡略に説明する。
図12〜図16に於て、14は上型、15は中型、16は下型を示す。中型15には、栓体１（図１参照）の外形状に対応する中型キャビティ部17が形成されている。下型16と中型15とを図12に示すように合わせて、上方開口空室部18を形成し、まず、呼吸フィルタ10を矢印Ｆ10のように装入して、下型16の上面に設置する。
なお、下型16の上面の所定位置に、呼吸フィルタ10を設置してから、次に、中型15を下降させて、図12の実線で示すように、中型15と下型16を閉じても、良い。
【００３４】
次に、円柱形状の中子19を垂下状に有する上型14を下降させて、図13に示す如く、中子19の下端面19Ａを呼吸フィルタ10の中心部を軽く押圧する。この図13に示したように、成形用キャビティ45が形成される。
【００３５】
次に、図14に示すように、キャビティ45内へ生ゴム材料を注入する。キャビティ45に生ゴム材料が充填され、底面側の呼吸フィルタ10の上面に対して生ゴム材料は高圧力をもって接触する。
【００３６】
金型は予め所定高温に加熱されているため、キャビティ45内で生ゴム材料は、加熱加圧されて（所定時間後には）、加硫が完了する。このとき、図15に示した形状であって、かつ、呼吸フィルタ10の上面の繊維が、加熱された栓体１と一体積層状として強力に固着される（図１（Ｂ）参照）。
その後（冷却後）、図16に示すように、（上型14を上方へ分離し、）かつ、中型15と下型16を分離しつつ、突き出し棒47によって、製品を取出す。その後は、バリ48等を除去して、本発明に係る通気防水構造体としての呼吸フィルタ10付の栓体１が製造できる。
【００３７】
なお、図８〜図11に示したように、被覆カバー20を備えている通気防水構造体の製造にあっては、プラスチック製の被覆カバー20を予め製作しておいて、図12に於ける下型16に形成した（図示省略の）嵌込凹部に製作した被覆カバー20を保持し、その保持状態下で、図14〜図15に示した加熱加圧を伴う加硫を行えば良い（詳細図示を省略する）。
【００３８】
以上説明した本発明に係る通気防水構造体の用途について述べると、自動車用のヘッドライト、フォグライト、テールランプ、及び、一般用ライト、電子コントロールユニット（ＥＣＵ）、電気かみそり、イヤフォン、湿度・温度・圧力・ガス等のセンサー、各種電動モータ、ハイブリッド自動車用のインバータ、充電器、電源モジュール、バッテリー、トラクションモータ、さらには、各種液体タンク等に使用され、既述した図面に示した筐体８の筐体壁部８Ａに取着して使用される。筐体８の内部の密閉状空間Ｅと外部Ｙとの間に空気及び熱の出入りが自由に行われ、かつ、外部Ｙから水及び粉塵の密閉状空間Ｅへの浸入を阻止する。
【００３９】
また、図８〜図11に示したような被覆カバー20を備えた構造のものでは、高圧洗浄水等の水が呼吸フィルタ10へ直接的に当ることを、防止でき、呼吸フィルタ10が保護されて寿命が延び、かつ、水等の付着を防止して通気性を確保できる利点がある。
【００４０】
本発明は、以上詳述したように、密閉状空間Ｅと外部Ｙとを連通する通気孔５に嵌着される貫孔２付の栓体１と、該栓体１のアキシャル方向外端面４に固着されて上記貫孔２を閉鎖する通気性と防水性を有する呼吸フィルタ10とを、備えた通気防水構造に於て；上記栓体１は、生ゴム材料の加熱加圧による加硫成形にて成形され；上記呼吸フィルタ10は、上記栓体１の上記加硫成形にて、上記アキシャル方向外端面４に、一体積層状として固着され、しかも、上記栓体１のアキシャル方向外端面４と上記呼吸フィルタ10との境界面Ｍに於ては、上記呼吸フィルタ10の多数の超微細繊維Ｆが、上記アキシャル方向外端面４を構成している加硫ゴムの内部に浸入して強固に一体化されているので、部品点数が減少できて、しかも、コンパクト化を図り得る。かつ、通気孔５に嵌着した状態下で不要な突出部が無くなり、又は、突出部の容積が減少する。（従来例の図18と対比すれば明らかである。）さらに、従来例の図18に示した栓体42では、呼吸フィルタ35をプラスチックの頭部42Ａ上面に接着剤にて取着する作業（手間）を要すると共に、接着強度が不安定かつ不十分となる虞れがあったが、本発明では、生ゴム材料が呼吸フィルタ10の繊維に対して、高い圧力（加圧）にて浸入して、その状態下で加熱されることで、図１（Ｂ）の如き状態となり、接合強度が高く、かつ、安定する。故に、使用状態下で、筐体８の内部の密閉状空間から、急激な高圧（さらには熱風）が作用しても、呼吸フィルタ10が栓体１から部分剥離を発生せず、安定した耐久性を発揮する。
さらに、従来例（図18）では、ネジ孔43への雄ネジ部44を螺進する作業が面倒であったが、本発明では、筐体１が弾性変形可能な加硫成形ゴムから成るので、筐体８の通気孔５に簡単かつ迅速に押込んで、図２（Ｂ）、図３（Ｂ）等に示す如く、取着できる。栓体１の外径寸法が、例えば、４ｍｍと小さい場合もあって、そのような小径の栓体１をゴムの弾性を利用して、簡単に押込んで取着できる点は、ＥＣＵ，電気かみそり，イヤフォン等の、特に小径の通気孔５を有する筐体８への用途にとって、重要な利点であるといえる。しかも、Ｏリング等を使用せずに、小径の通気孔５へ押込めば、密封性が確保されるので、従来の図18に示した小径のＯリング38の紛失が螺進作業の際に発生することをも有効防止できる。
また、上記栓体１を形成する加硫ゴムは、シリコンゴムから成るので、弾性に富み、通気孔５の内周面に対して密封性に優れ、挿入（装着）も容易である。また、耐熱性にも優れる。
【符号の説明】
【００４１】
１  栓体
２  貫孔
４  外端面
５  通気孔
10  呼吸フィルタ
Ｅ  密閉状空間
Ｆ  超微細繊維
Ｍ  境界面
Ｙ  外部
【要約】      （修正有）【課題】コンパクトで、構造が簡単であり、筐体の通気孔への取付作業を能率的に行う通気防水構造体を提供する。【解決手段】密閉状空間と外部とを連通する通気孔５に嵌着される貫孔２付の栓体１と、栓体１のアキシャル方向外端面４に固着されて貫孔２を閉鎖する通気性と防水性を有する呼吸フィルタ１０とを、備えた通気防水構造体に於て、栓体１は、生ゴム材料の加熱加圧による加硫成形にて成形される。呼吸フィルタは、栓体の加硫成形にて、アキシャル方向外端面に、一体積層状として固着され、しかも、栓体のアキシャル方向外端面と呼吸フィルタとの境界面に於て、呼吸フィルタの多数の超微細繊維が、アキシャル方向外端面を構成している加硫ゴムの内部に浸入して強固に一体化されている。また、栓体を形成する加硫ゴムは、シリコンゴムから成る。【選択図】図２【図１】
0006785015.tif 000002
【図２】
0006785015.tif 000003
【図３】
0006785015.tif 000004
【図４】
0006785015.tif 000005
【図５】
0006785015.tif 000006
【図６】
0006785015.tif 000007
【図７】
0006785015.tif 000008
【図８】
0006785015.tif 000009
【図９】
0006785015.tif 000010
【図１０】
0006785015.tif 000011
【図１１】
0006785015.tif 000012
【図１２】
0006785015.tif 000013
【図１３】
0006785015.tif 000014
【図１４】
0006785015.tif 000015
【図１５】
0006785015.tif 000016
【図１６】
0006785015.tif 000017
【図１７】
0006785015.tif 000018
【図１８】
0006785015.tif 000019